(57)【要約】【課題】簡単な回路構成で、音声出力に影響を与えることなく制御信号を送信可能な通信システム、送信装置、および受信装置を提供する。【解決手段】送信装置２には、第１の周波数のトーン信号ｔ１および第２の周波数のトーン信号ｔ２を用いて制御信号ＣＴＬ１を周波数偏移変調して制御信号ＣＴＬ２を生成するトーン信号変調部２３と、音声信号ａを生成するマイクロフォン２１およびアンプ２２と、音声信号ａと制御信号ＣＴＬ２とを混合して無線信号を生成しアンテナＡＴ２に送信させるＭＩＸ回路２４、ＶＣＯ２５、およびＲＦ増幅部２６とを設け、受信装置３には、アンテナＡＴ３で受信された無線信号に応じて音声信号ａおよび制御信号ＣＴＬ２を出力する受信部３１と、制御信号ＣＴＬ２の内の第１の周波数のトーン信号ｔ１および第２の周波数のトーン信号ｔ２を検出して第１の制御信号を生成するトーン信号復調部３２とを設ける。【選択図】　図１
2004015709.tif 000002
【特許請求の範囲】
【請求項１】
送信装置と受信装置とを有する通信システムであって、
前記送信装置は、
第１の周波数のトーン信号および第２の周波数のトーン信号を用いて、第１の制御信号を周波数偏移変調して第２の制御信号を生成する変調手段と、
音声信号と前記第２の制御信号とを混合して無線信号を生成し送信する送信手段とを有し、
前記受信装置は、
前記無線信号の内の前記第２の制御信号に含まれる前記第１および第２の周波数のトーン信号を検出して前記第１の制御信号を生成する復調手段とを有する
通信システム。
【請求項２】
前記受信装置は、前記第１および第２の周波数のトーン信号を検出した場合に、前記音声信号に応じた音声出力を行う音声出力手段を有する
請求項１に記載の通信システム。
【請求項３】
前記第１の周波数のトーン信号および第２の周波数のトーン信号それぞれの周波数は、聴覚によって認識困難な高い周波数である
請求項１に記載の通信システム。
【請求項４】
無線信号を送信する送信装置であって、
第１の周波数のトーン信号および第２の周波数のトーン信号を用いて、第１の制御信号を周波数偏移変調して第２の制御信号を生成する変調手段と、
音声信号と前記第２の制御信号とを混合して無線信号を生成し送信する送信手段とを有する
送信装置。
【請求項５】
第１の周波数のトーン信号および第２の周波数のトーン信号を用いて、第１の制御信号を周波数偏移変調して第２の制御信号を生成し、音声信号と前記第２の制御信号とを混合して無線信号を生成する送信装置から送信された前記無線信号を受信する受信装置であって、
前記無線信号の内の第２の制御信号に含まれる前記第１および第２の周波数のトーン信号を検出して前記第１の制御信号を生成する復調手段を有する
受信装置。
【請求項６】
前記第１および第２の周波数のトーン信号を検出した場合に、前記音声信号に応じた音声出力を行う音声出力手段を有する
請求項５に記載の受信装置。
【発明の詳細な説明】
【０００１】
【発明の属する技術分野】
本発明は、たとえば、無線方式により音声信号の送受信を行う通信システム、送信装置、および受信装置に関するものである。
【０００２】
【従来の技術】
従来、たとえば、いわゆるワイヤレスマイク等の無線方式により音声信号の送受信を行う送信装置と受信装置とを有する通信システムが知られている。
たとえば、上述の送信装置は、所定の音声信号とトーン信号とに基づいて、搬送波を変調して受信装置に送信する。
受信装置は、変調された搬送波に基づいて復調処理し、トーン信号を検出した場合にはハイパスフィルタを介して音声信号に応じた音声出力を行う。
【０００３】
【発明が解決しようとする課題】
しかし、上述した従来の通信システムでは、受信装置において、トーン信号と音声信号とを分離するために、ハイパスフィルタを用いなければならない。このため、音声出力した低音域に影響がでるという問題点があった。
また、近年では、音声信号以外にも、所定の制御信号、たとえばアンプを切り替える制御信号や音声出力増幅度を調整する制御信号等を、簡単な回路構成により送受信したいという要望がある。
【０００４】
本発明は、かかる事情に鑑みてなされたものであり、その目的は、簡単な回路構成で、音声出力に影響を与えることなく制御信号を送信可能な通信システム、送信装置、および受信装置を提供することにある。
【０００５】
【課題を解決するための手段】
前記目的を達成するために、第１の発明の通信システムは、送信装置と受信装置とを有する通信システムであって、前記送信装置は、第１の周波数のトーン信号および第２の周波数のトーン信号を用いて、第１の制御信号を周波数偏移変調して第２の制御信号を生成する変調手段と、音声信号と前記第２の制御信号とを混合して無線信号を生成し送信する送信手段とを有し、前記受信装置は、前記無線信号の内の前記第２の制御信号に含まれる前記第１および第２の周波数のトーン信号を検出して前記第１の制御信号を生成する復調手段とを有する。
【０００６】
第１の発明の通信システムによれば、送信装置と受信装置とを設ける。
送信装置において、変調手段では、第１の周波数のトーン信号および第２の周波数のトーン信号を用いて、第１の制御信号を周波数偏移変調して第２の制御信号が生成され、送信手段では、音声信号と第２の制御信号とを混合して無線信号が生成され送信される。
受信装置において、復調手段では、無線信号の内の第２の制御信号に含まれる第１および第２の周波数のトーン信号を検出して第１の制御信号が生成される。
【０００７】
好適には、前記受信装置は、前記第１および第２の周波数のトーン信号を検出した場合に、前記音声信号に応じた音声出力を行う音声出力手段を有する。
【０００８】
また、好適には、前記第１の周波数のトーン信号および第２の周波数のトーン信号それぞれの周波数は、聴覚によって認識困難な高い周波数である。
【０００９】
さらに、前記目的を達成するために、第２の発明の送信装置は、無線信号を送信する送信装置であって、第１の周波数のトーン信号および第２の周波数のトーン信号を用いて、第１の制御信号を周波数偏移変調して第２の制御信号を生成する変調手段と、音声信号と前記第２の制御信号とを混合して無線信号を生成し送信する送信手段とを有する。
【００１０】
さらに、前記目的を達成するために、第３の発明の受信装置は、第１の周波数のトーン信号および第２の周波数のトーン信号を用いて、第１の制御信号を周波数偏移変調して第２の制御信号を生成し、音声信号と前記第２の制御信号とを混合して無線信号を生成する送信装置から送信された前記無線信号を受信する受信装置であって、前記無線信号の内の第２の制御信号に含まれる前記第１および第２の周波数のトーン信号を検出して前記第１の制御信号を生成する復調手段を有する。
【００１１】
【発明の実施の形態】
図１は、本発明に係る通信システムの一実施の形態の全体構成を示す構成図である。
本実施の形態に係る通信システム１は、図１に示すように、送信装置２および受信装置３を有する。
【００１２】
たとえば、通信システム１において、送信装置２はユーザによる音声信号と所定の制御信号とを混合し無線信号として送信するワイヤレス送信装置であり、受信装置３はその無線信号を受信し、その制御信号に応じた所定の処理を行い、音声信号に応じた音声出力を行う。
【００１３】
送信装置２は、たとえば図１に示すように、マイクロフォン２１、アンプ２２、トーン信号変調部２３、ＭＩＸ回路２４、ＶＣＯ（Ｖｏｌｔａｇｅ　ｃｏｎｔｒｏｌｌｅｄ　ｏｓｃｉｌｌａｔｏｒ）２５、およびＲＦ（Ｒａｄｉｏ　ｆｒｅｑｕｅｎｃｙ）増幅部２６を有する。
トーン信号変調部２３は本発明に係る変調手段に相当する。ＭＩＸ回路２４、ＶＣＯ２５、およびＲＦ増幅部２６は、本発明に係る送信手段に相当する。
【００１４】
マイクロフォン２１は、たとえば、ユーザによる音声を音声信号ａに変換しアンプ２２に出力する。
アンプ２２は、マイクロフォン２１から出力された音声信号ａを増幅してＭＩＸ回路２４に出力する。
【００１５】
トーン信号変調部２３は、第１の周波数のトーン信号ｔ１および第２の周波数のトーン信号ｔ２を用いて、所定の第１の制御信号を周波数偏移変調して第２の制御信号を生成しＭＩＸ回路２４に出力する。
【００１６】
トーン信号変調部２３は、具体的には図１に示すように、第１のトーン信号発振回路２３１−１、第２のトーン信号発振回路２３１−２、ＣＰＵ２３２、およびスイッチ回路２３３を有する。
【００１７】
第１のトーン信号発振回路２３１−１は、第１の周波数のトーン信号ｔ１、たとえば３８ｋＨｚのトーン信号ｔ１を発振し、スイッチ回路２３３に出力する。第２のトーン信号発振回路２３１−２は、第２の周波数のトーン信号ｔ２、たとえば３８．４ｋＨｚのトーン信号ｔ２を発振し、スイッチ回路２３３に出力する。
【００１８】
たとえば、３８ｋＨｚのトーン信号ｔ１は本発明に係る第１の周波数のトーン信号に相当し、３８．４ｋＨｚのトーン信号ｔ２は本発明に係る第２の周波数のトーン信号に相当する。
【００１９】
トーン信号は、受信装置３において、音声信号ａに応じた音声出力を行う際に参照される。受信装置３はトーン信号が検出された場合には音声信号ａに応じた音声出力を行い、トーン信号が検出されない場合には音声出力を行わない。
上述した実施の形態に限られるものではない。たとえば、複数の異なる周波数のトーン信号を用いてもよい。
【００２０】
図２は、図１に示した通信システムに係る音声信号およびトーン信号の周波数分布を示す図である。
たとえば、３８ｋＨｚおよび３８．４ｋＨｚのトーン信号の周波数は、図２に示すように、音声信号ａの周波数分布領域よりも高い周波数である。
この３８ｋＨｚおよび３８．４ｋＨｚのトーン信号の周波数は、聴覚によって認識困難な高い周波数である。
【００２１】
また、上述した実施の形態に限られるものではない。たとえば、トーン信号は、聴覚により認識困難であればよく、可聴周波数帯域よりも低い周波数であってもよい。
【００２２】
ＣＰＵ２３２は、送信装置２の各構成要素を制御する。
ＣＰＵ２３２は、制御信号ＣＴＬ１を生成してスイッチ回路２３３に出力する。制御信号ＣＴＬ１は、本発明に係る第１の制御信号に相当する。
【００２３】
ＣＰＵ２３２は、たとえば不図示の入力部から入力された信号に応じて制御信号ＣＴＬ１を生成する。
【００２４】
この制御信号ＣＴＬ１は、たとえば、受信装置３において、不図示の複数のアンプの切り替えや、複数のスピーカの切り替えや、音声出力増幅度の調整等の所定の制御処理を行わせる。たとえば、ユーザは上述の所定の処理を行わせる信号を不図示の入力部から出力させて、ＣＰＵ２３２にその信号に基づいて、制御信号ＣＴＬ１を生成させる。
【００２５】
また、ＣＰＵ２３２は、たとえば不図示の入力部から入力された複数の制御信号に基づいて所定の処理を行い、制御信号ＣＴＬ１を出力してもよい。
【００２６】
また、ＣＰＵ２３２は、送信装置２の不図示の電源スイッチがオンされると、所定の時間経過後、たとえば１秒経過後、所定のトーン信号をトーン信号発振回路２３１およびスイッチ回路２３３から出力させる。
また、ＣＰＵ２３２は、不図示の電源スイッチがオフされると、所定の時間経過後、たとえば１秒経過後、トーン信号発振回路２３１に所定のトーン信号の発振を停止させ、送信装置２の電源をオフにする。
【００２７】
スイッチ回路２３３は、ＣＰＵ２３２から出力された制御信号ＣＴＬ１に基づいて、第１のトーン信号発振回路２３１−１から出力された３８ｋＨｚのトーン信号ｔ１、および第２のトーン信号発振回路２３１−２から出力された３８．４ｋＨｚのトーン信号ｔ２を用いて周波数偏移変調して制御信号ＣＴＬ２を生成し出力する。
制御信号ＣＴＬ２は、本発明に係る第２の制御信号に相当する。
【００２８】
図３は、図１に示した通信システムに係るトーン信号の周波数偏移変調を説明するための図である。
【００２９】
スイッチ回路２３３は、たとえば図３に示すように、ＣＰＵ２３２から出力された制御信号ＣＴＬ１の出力レベルに応じてトーン信号の周波数を切り替えて周波数偏移変調して制御信号ＣＴＬ２を生成する。
【００３０】
具体的にはＣＰＵ２３２は、たとえば制御信号ＣＴＬ１の出力レベルがハイレベルの場合には第１のトーン信号発振回路２３１−１から出力された第１の周波数のトーン信号ｔ１（３８ｋＨｚ）、ロウレベルの場合には第２のトーン信号発振回路２３２−２から出力された第２の周波数のトーン信号ｔ２（３８．４ｋＨｚ）に切り替えて周波数偏移変調して制御信号ＣＴＬ２を生成する。
【００３１】
また、上述した実施の形態に限られるものではない。スイッチ回路２３３は制御信号ＣＴＬ１に応じて周波数偏移変調して制御信号ＣＴＬ２を生成すればよく、たとえば電圧等の制御により所定のトーン信号の周波数を制御信号ＣＴＬ１に応じて変化させて制御信号ＣＴＬ２を生成してもよい。
【００３２】
ＭＩＸ回路２４は、アンプ２２から出力された音声信号ａと制御信号ＣＴＬ２とを混合し、ＶＣＯ２５に出力する。
【００３３】
ＶＣＯ２５は、ＭＩＸ回路２４から出力された音声信号ａと制御信号ＣＴＬ２とを混合した信号に応じたＲＦ信号を生成しＲＦ増幅部２６に出力する。
具体的には、ＶＣＯ２５は、たとえば周波数８００ＭＨｚの信号を音声信号ａおよび制御信号ＣＴＬ２に応じてＦＭ変調してＲＦ信号を生成しＲＦ増幅部２６に出力する。
【００３４】
ＲＦ増幅部２６は、ＶＣＯ２５から出力されたＲＦ信号を所定の強度まで増幅してアンテナＡＴ２に出力する。アンテナＡＴ２ではＲＦ増幅部２６から出力されたＲＦ信号に応じた電磁波を空間中に放射する。
【００３５】
受信装置３は、送信装置２から送信された無線信号を受信し所定の処理を行う。
受信装置３は、図１に示すように、受信部３１、トーン信号復調部３２、およびアンプ３３を有する。
トーン信号復調部３２は本発明に係る復調手段に相当する。アンプ３３は本発明に係る音声出力手段に相当する。
【００３６】
受信部３１は、受信された無線信号に基づいて、音声信号ａおよび制御信号ＣＴＬ２を出力する。
受信部３１は、たとえば図１に示すように、ＲＦ増幅部３１１、ＶＣＯ３１２、周波数変換部３１３、ＩＦ（Ｉｎｔｅｒｍｅｄｉａｔｅ　ｆｒｅｑｕｅｎｃｙ）増幅部３１４、および復調部３１５を有する。
【００３７】
ＲＦ増幅部３１１は、アンテナＡＴ３により無線信号に応じて出力されたＲＦ信号を、所定の出力レベルになるように増幅して周波数変換部３１３に出力する。
【００３８】
ＶＣＯ３１２は、ＲＦ信号をＩＦ信号に変換するための所定の周波数の信号を生成し、周波数変換部３１３に出力する。
【００３９】
周波数変換部３１３は、ＲＦ増幅部３１１から出力されたＲＦ信号を、ＶＣＯ３１２から出力された信号に応じて、所定の中間周波数に変換して中間周波信号（ＩＦ信号）を生成してＩＦ増幅部３１４に出力する。
【００４０】
ＩＦ増幅部３１４は、周波数変換部３１３から出力された中間周波信号（ＩＦ信号）を所定のレベルまで増幅し、復調部３１５に出力する。
【００４１】
復調部３１５は、ＩＦ増幅部３１４から出力された中間周波信号（ＩＦ信号）に基づいて、所定の方式を用いて復調処理を行い、音声信号ａおよび制御信号ＣＴＬ２を、アンプ３３およびトーン信号復調部３２に出力する。
【００４２】
トーン信号復調部３２は、受信部３１から出力された第２の制御信号に含まれる第１および第２の周波数のトーン信号を検出して第１の制御信号を生成して出力する。
【００４３】
トーン信号復調部３２は、たとえば図１に示すように、第１のトーン信号検出部３２１−１、第２のトーン信号検出部３２１−２、復号化部３２２、およびＣＰＵ３２３を有する。
第１のトーン信号検出部３２１−１および第２のトーン信号検出部３２１−２を区別しない場合には、トーン信号検出部３２１と言う。
【００４４】
第１のトーン信号検出部３２１−１は、復調部３１５から出力された制御信号ＣＴＬ２に基づいて、第１の周波数、たとえば３８ｋＨｚのトーン信号ｔ１を検出し、検出結果を復号化部３２２に出力する。
第２のトーン信号検出部３２１−２は、復調部３１５から出力された制御信号ＣＴＬ２に基づいて、第２の周波数、たとえば３８．４ｋＨｚのトーン信号ｔ２を検出し、検出結果を復号化部３２２に出力する。
【００４５】
復号化部３２２は、第１のトーン信号検出部３２１−１および第２のトーン信号検出部３２１−２から出力された検出結果に基づいて、所定の処理を行い制御信号ＣＴＬ１を生成する。
【００４６】
具体的には、復号化部３２２は、３８ｋＨｚが検出された場合には出力レベルをハイレベルに、３８．４ｋＨｚが検出された場合には出力レベルをロウレベルに切り替えて制御信号ＣＴＬ１を生成し、ＣＰＵ３２３に出力する。
【００４７】
ＣＰＵ３２３は、受信装置３の構成要素を制御する。また、ＣＰＵ３２３は、復号化部３２２から出力された制御信号ＣＴＬ１に基づいて所定の処理を行う。
【００４８】
ＣＰＵ３２３は、制御信号ＣＴＬ１に応じて、たとえば、不図示の複数のアンプの切り替えや、複数のスピーカの切り替えや、音声出力の音量の増減等の所定の制御処理を行わせる。
また、ＣＰＵ３２３は、たとえばトーン信号が検出された場合には、アンプ３３に音声信号ａに応じた出力を行わせてもよい。
【００４９】
上述した形態に限られるものではない。たとえば送信装置２において、複数の制御信号に基づいて、予め定められた所定の処理を行い制御信号ＣＴＬ１を生成した場合には、ＣＰＵ３２３は、復号化部３２２から出力された信号に基づいて、予め定められた所定の処理を行い、複数の制御信号それぞれを生成（復元）し、不図示の所定の機能回路に出力してもよい。
【００５０】
アンプ３３は、受信部から出力された音声信号ａを増幅し出力する。
アンプ３３は、たとえばトーン信号が検出された場合には、音声信号ａに応じた音声出力を不図示のスピーカに行わせる。
また、アンプ３３は、トーン信号検出部３２１、復号化部３２２、およびＣＰＵ３２３によりトーン信号が検出された場合には、音声信号ａに応じた音声出力を不図示のスピーカに行わせてもよい。
【００５１】
以上、説明した構成の通信システムの動作を簡単に説明する。
たとえば、送信装置２は、いわゆるワイヤレスマイクである。
送信装置２において、たとえば、ユーザにより不図示の音量調整ボタン等の操作に応じた信号が不図示の入力部からＣＰＵ２３２に出力される。
【００５２】
ＣＰＵ２３２では、その信号に応じて制御信号ＣＴＬ１が生成されスイッチ回路２３３に出力される。
スイッチ回路２３３では、その制御信号ＣＴＬ１に応じて、第１のトーン信号発振回路２３１−１および第２のトーン信号発振回路２３１−２から出力された第１の周波数のトーン信号ｔ１および第２の周波数のトーン信号ｔ２を用いて周波数偏移変調し、制御信号ＣＴＬ２が生成され、ＭＩＸ回路２４に出力される。
【００５３】
ＭＩＸ回路２４では、マイクロフォン２１およびアンプ２２により生成された音声信号ａと、スイッチ回路２３３から出力された制御信号ＣＴＬ２とが混合され、ＶＣＯ２５によりＲＦ信号に変調され、ＲＦ増幅部２６により増幅され、アンテナＡＴ２により無線信号として放射される。
【００５４】
無線信号は、アンテナＡＴ３により受信され、受信装置３に入力される。
受信装置３において、アンテナＡＴ３から出力されたＲＦ信号が、ＲＦ増幅部３１１により増幅され、ＶＣＯ３１２および周波数変換部３１３によりＩＦ信号に変換され、ＩＦ増幅部３１４により増幅され、復調部３１５により復調され、音声信号ａおよび制御信号ＣＴＬ２が出力される。
【００５５】
第１のトーン信号検出部３２１−１および第２のトーン信号検出部３２１−２では、復調部３１５から出力された制御信号ＣＴＬ２の内に、第１の周波数のトーン信号ｔ１および第２の周波数のトーン信号ｔ２が検出されると、復号化部３２２では検出結果に応じて上述した処理が行われ制御信号ＣＴＬ１が生成され出力される。
【００５６】
ＣＰＵ３２３では、復号化部３２２から出力された制御信号ＣＴＬ１に応じて、所定の処理が行われる。たとえば、トーン信号が検出された場合には、ＣＰＵ３２３では、アンプ３３に音声出力を行わせ、トーン信号が検出されない場合には、音声出力を行わせない。
【００５７】
また、ＣＰＵ３２３では、制御信号ＣＴＬ１に応じて、たとえばアンプ３３の音声出力増幅度の制御を行う。
【００５８】
以上、説明したように、送信装置２には、第１の周波数のトーン信号ｔ１および第２の周波数のトーン信号ｔ２を用いて制御信号ＣＴＬ１を周波数偏移変調して制御信号ＣＴＬ２を生成するトーン信号変調部２３と、音声信号ａを生成するマイクロフォン２１およびアンプ２２と、音声信号ａと制御信号ＣＴＬ２とを混合して無線信号を生成しアンテナＡＴ２に送信させるＭＩＸ回路２４、ＶＣＯ２５、およびＲＦ増幅部２６とを設ける。
受信装置３には、アンテナＡＴ３で受信された無線信号に基づいて、音声信号ａおよび制御信号ＣＴＬ２を出力する受信部３１と、受信部３１から出力された制御信号ＣＴＬ２の内の第１の周波数のトーン信号ｔ１および第２の周波数のトーン信号ｔ２を検出して第１の制御信号を生成するトーン信号復調部３２とを設ける。
【００５９】
こうすることにより、通信システム１では、一般的な通信システムに比べて、音声出力に影響を与えることなく、制御信号を送信することができる。
また、一般的な通信システムと比べて、ハイパスフィルタを用いることなく、所定の制御信号を送受信することができる。
また、たとえば、音声信号と制御信号とを時間的に切り替えて通信を行う通信システムと比べて、本実施の形態に係る通信システム１では、制御信号を送信している間であっても、音声信号が途切れることなく通信を行うことが可能である。
【００６０】
なお、本発明は本実施の形態に限られるものではなく、任意好適な種々の改変が可能である。
たとえば、本実施の形態では、送信装置において、２つの異なる周波数のトーン信号を用いて、制御信号ＣＴＬ１に応じて周波数偏移変調し、受信装置３において、復調して制御信号ＣＴＬ１を生成（復元）したが、この形態に限られるものではない。たとえば、ＭＳＫ（Ｍｉｎｉｍｕｍ　ｓｈｉｆｔ　ｋｅｙｉｎｇ）や、ＧＭＳＫ（Ｇａｕｓｓｉａｎ　ｆｉｌｔｅｒｅｄ　ＭＳＫ）等により変調および復調してもよい。
また、複数の制御信号を送受信してもよい。
【００６１】
【発明の効果】
本発明によれば、簡単な回路構成で、音声出力に影響を与えることなく制御信号を送信可能な通信システム、送信装置、および受信装置を提供することができる。
【図面の簡単な説明】
【図１】本発明に係る通信システムの一実施の形態の全体構成を示す構成図である。
【図２】図１に示した通信システムに係る音声信号およびトーン信号の周波数分布を示す図である。
【図３】図１に示した通信システムに係るトーン信号の周波数偏移変調を説明するための図である。
【符号の説明】
１…通信システム、２…送信装置、３…受信装置、２１…マイクロフォン、２２…アンプ、２３…トーン信号変調部、２４…ＭＩＸ回路、２５…ＶＣＯ、２６…ＲＦ増幅部、３１…受信部、３２…トーン信号復調部、３３…アンプ、２３１−１…第１のトーン信号発振回路、２３１−２…第２のトーン信号発振回路、２３２…ＣＰＵ、２３３…スイッチ回路、３１１…ＲＦ増幅部、３１２…ＶＣＯ、３１３…周波数変換部、３１４…ＩＦ増幅部、３１５…復調部、３２１−１…第１のトーン信号検出部、３２１−２…第２のトーン信号検出部、３２２…復号化部、３２３…ＣＰＵ、ＡＴ２，３…アンテナ。
【図１】
2004015709.tif 000003
【図２】
2004015709.tif 000004
【図３】
2004015709.tif 000005